(57)【要約】      （修正有）【課題】情報を伝える機能以外に利用価値がないポスターやチラシを従来使用していたような大きな四角い紙ではなく厚手の小さな紙にすることによって飲食店でコースターとして利用できると同時に、広告主をその飲食店に関わるスポンサー以外の企業や人にすることによって広告料などの営業外利益を生み出すことができるという機能も持ったポスターやチラシとして提供する。【解決手段】ポスターやチラシなど一枚の紙面で出来ているもの、又は一枚の紙面にして支障がなく情報が伝えられるＣＭなどを小さな厚手の紙に耐水性のインクで印刷する。この際現在のポスターやチラシと同じ広告媒体として利用することを目的とする為、広告主は使用する飲食店やその飲食店に関わるスポンサー以外の企業や人とする。情報内容によって形は不規則なもので構わないが、コースターとしての機能を損なわないように吸水性のある厚手の紙で凹凸の無いものとする。【選択図】図１
0003143739.tif 000002
【実用新案登録請求の範囲】
【請求項１】
ポスターやチラシ、又はＣＭなどの情報を従来使用していたような大きな四角い紙ではなく厚手の小さな紙を利用し、情報を伝える機能だけではなくコースターとして利用できる機能も持たせる。
【請求項２】
現在使用されてるポスターやチラシと同じように利用することが目的なので、広告主は使用する飲食店やその飲食店に関わるスポンサー以外の企業や人が利用するものとする。
【考案の詳細な説明】
【技術分野】
【０００１】街で見かけるポスターや配布されるチラシなどを厚手の小さな紙にする。
そうすることによって、飲食店でコースターの代わりに使用してもらい店来したお客様に情報を提供する。
『確実に手元に届く』そして『ターゲットを絞り込む事が出来る』ポスターやチラシになる。
【背景技術】
【０００２】情報を提供したい企業や人が利用するのに現在使われているのがポスターやチラシやＣＭである。
次に飲食店で使われるコースターはグラスから落ちる水滴でテーブルを汚さないように一人一人個人の手元のグラスの下に置かれる。
【考案の開示】
【考案が解決しようとする課題】
【０００３】ポスターやチラシは広告媒体と言うこと意外に利用価値がない。
又、一人一人個人の手元に届けたり更にはターゲットを絞って情報を伝えようとすると大変な労力と多額な費用が掛かっいた。
コースターもグラスの表面から落ちる水滴を吸い取る物としてしか利用価値がない。しかしそこにも費用はかけられている。
又、飲食店は支出を伴う営業利益がほとんどで営業利益以外の収益を生み出すことはかなり困難である。
【課題を解決するための手段】
【０００４】ポスターやチラシなど一枚の紙面で出来ているもの、又は一枚の紙面にして支障がなく情報が伝えられるＣＭなどを従来使用していたような大きな四角い紙ではなく厚手の小さな紙を利用する。
そうすることによってポスターやチラシの情報を伝える機能だけではなくコースターとして利用できる機能も持たせる。
この際ポスターやチラシと同じ広告媒体として利用することを目的とする為、広告主は使用する飲食店やその飲食店に関わるスポンサー以外の企業や人とする。
【考案の効果】
【０００５】ポスターやチラシを厚手の小さな紙にすることによって広告主が届けたい情報を一人一人個人の手元まで大変な労力と多額な費用を使わずに飲食店員の日常の作業の中で簡単に届けることができる。
受け取る側からしても、何の抵抗も無くいつの間にか目に付く所に届けられている。
さらに飲食店の客層で情報を提供したいターゲットも絞り込むことができる。
又、広告主を『使用する飲食店やその飲食店に関わるスポンサー以外の企業や人』にすることによって広告料が発生すれば飲食店側は困難であった営業外利益を生み出すことができる可能性にもつながる。
【考案を実施するための最良の形態】
【０００６】（イ）ポスターやチラシなど一枚の紙面で出来ているもの、又は一枚の紙面にして支障がなく情報が伝えられるＣＭなどを小さな厚手の紙に印刷する。この際現在のポスターやチラシと同じ広告媒体として利用することを目的とする為、広告主は使用する飲食店やその飲食店に関わるスポンサー以外の企業や人とする。
（ロ）印刷する際は、常に水に濡れるものと考え耐水性のあるインクを使用する。
（ハ）情報内容によって形は不規則なもので構わないが、コースターとしての機能を損なわないように吸水性のある厚手の紙で凹凸の無いものとする。
（ニ）コースターとして利用できるが基本的にポスターやチラシとして利用することが目的なので、内容の変更頻度の高さや掲載期間の長さから長期的に使用できるものではなく、従来のポスターやチラシのように再利用しやすい厚手の紙が最良の形態である。
本考案は以上の構成よりなる。
本考案は、広告主がターゲットに近い客層に選んだ飲食店に使用してもらう。
飲食店側は通常のコースターと同じように一人一人個人のグラスの下に敷く。グラスが上に乗っているときは一部しか見えないが、グラスを手に取るたびに情報を提供できる。
又、コースターとして利用されているので情報を受け取る側に何の抵抗もなく自然に届けることができる。
『見かけるから手元に届く』『配布されるから置いてある』と言った全く新しい提供のしかたの広告媒体になる。
【図面の簡単な説明】
【図１】本考案の一例の正面図
【図２】本考案の一例の正面図
【符号の説明】
（１）  コースターとしても利用できる吸水性あるの厚手の紙。
（２）  使用する飲食店やその飲食店に関わるスポンサー以外の企業や人が提供する情報。
【図１】
0003143739.tif 000003
【図２】
0003143739.tif 000004
【手続補正書】
【提出日】平成20年5月1日(2008.5.1)
【手続補正１】
【補正対象書類名】実用新案登録請求の範囲
【補正対象項目名】全文
【補正方法】変更
【補正の内容】
【実用新案登録請求の範囲】
【請求項１】
吸水性のある厚手の紙で、所定の形状と表面に印刷可能部分を有するポスター・チラシ。
【手続補正２】
【補正対象書類名】明細書
【補正対象項目名】０００６
【補正方法】変更
【補正の内容】
【０００６】（イ）  ポスターやチラシなど一枚の紙面で出来ているもの、又は一枚の紙面にして支障がなく情報が伝えられるＣＭなどを小さな厚手の紙に印刷する。この際、現在のポスターやチラシと同じ広告媒体として利用することを目的とする為、広告主は使用する飲食店やその飲食店に関わるスポンサー以外の人や企業とする。
（ロ）  印刷する際は、常に水に濡れるものと考え対耐水性のあるインクを使用する。
（ハ）  情報内容によっては形は不規則なもので構わないが、吸水性のある厚手の紙でコースターとしてやの機能を損なわないように凹凸は最低限のものとする
（ニ）  コースターとして利用できるが基本的にポスターやチラシとして利用することが目的なので、内容の変更頻度の高さや掲載期間の長さから長期的に使用できるものではなく、従来のポスターやチラシのように再利用しやすい厚手の紙が最良の形態である。
本考案は以上の構成によりなる。
本考案は、広告主がターゲットに近い客層を選んだ飲食店に使用しもらう。
飲食店は通常のコースターと同じように一人一人個人のグラスの下に敷く。
グラスが上に乗っているときは一部しか見えないが、グラスを手に取るたびに情報を提供できる。
又、コースターとして利用されているので情報を受け取る側に何の抵抗もなく自然に届けることができる。
『見かけるから手元に届く』『配布されるから置いてある』と言った全く新しい提供のしかたの広告媒体となる。
【手続補正３】
【補正対象書類名】図面
【補正対象項目名】図２
【補正方法】変更
【補正の内容】
【図２】
0003143739.tif 000005